(57)【要約】【課題】浴室をミストにて加温する暖房効果と、ミストサウナ浴によるリラックス効果とを共に十分に得ることができ、特に浴室内の暖房時に際しては床面を広い範囲に亘って十分に加温することができるミストサウナ式浴室暖房装置を提供する。【解決手段】熱源機から供給される温水をノズル１からミスト状に噴射するミストサウナ式浴室暖房装置に関する。前記ノズル１として、粗ミストノズル１ａと、この粗ミストノズル１ａよりも小径のミスト２を噴射する細ミストノズル１ｂとを設ける。前記粗ミストノズル１ａ及び細ミストノズル１ｂは、前記粗ミストノズル１ａから噴射された後のミスト２が通過する領域の少なくとも一部が、前記細ミストノズル１ｂから噴射された後のミスト２が通過する領域の少なくとも一部と重なるように配設する。【選択図】      図１
2004245554.tif 000002
【特許請求の範囲】
【請求項１】
熱源機から供給される温水をノズルからミスト状に噴射するミストサウナ式浴室暖房装置において、前記ノズルとして、粗ミストノズルと、この粗ミストノズルよりも小径のミストを噴射する細ミストノズルとを、前記粗ミストノズルから噴射された後のミストが通過する領域の少なくとも一部が、前記細ミストノズルから噴射された後のミストが通過する領域の少なくとも一部と重なるように配設して成ることを特徴とするミストサウナ式浴室暖房装置。
【請求項２】
上記粗ミストノズルを、上記細ミストノズルの上方に配設して成ることを特徴とする請求項１に記載のミストサウナ式浴室暖房装置。
【請求項３】
上記粗ミストノズルの上方に、上記細ミストノズルよりも小径のミストを噴射する微細ミストノズルを配設して成ることを特徴とする請求項１又は２に記載のミストサウナ式浴室暖房装置。
【請求項４】
上記粗ミストノズルと上記細ミストノズルとから同時にミストを噴射する予備暖房モードと、前記粗ミストノズルからはミストを噴射せず前記細ミストノズルからミストを噴射するミストサウナ浴モードとに、運転モードを切り替え可能に形成して成ることを特徴とする請求項１乃至３のいずれかに記載のミストサウナ式浴室暖房装置。
【請求項５】
上記ノズルが配設されたミスト発生器本体と、このミスト発生器本体を上下位置調整自在に支持する支持部とを具備することを特徴とする請求項１乃至４のいずれかに記載のミストサウナ式浴室暖房装置。
【発明の詳細な説明】
【０００１】
【発明の属する技術分野】
本発明は、ミスト発生用ノズルを用いて浴室内の暖房及びミストサウナ効果を得るためのミストサウナ式浴室暖房装置に関するものである。
【０００２】
【従来の技術】
これまでサウナは、愛好者やスポーツジムを利用する人などのようにごく一部の人しか利用していなかったが、近年、クアハウス、スパー銭湯の増加等により、広く一般の人にもサウナの効用や快適性が認知されるようになってきている。特に湿式のミストサウナは乾式のサウナに較べて雰囲気温度が低いため、息苦しさが無く長時間入っていられること、室内に充満するミストにより肌が潤うこと等から、女性の利用者も多くなってきている。このため、家庭用のミストサウナ式浴室暖房装置も商品化されるようになってきている。
【０００３】
このようなミストサウナ式浴室暖房装置に対して、使用者が期待するのは、ミストサウナ浴による発汗促進作用や、リラックス感を体感すること等である。発汗促進作用を得るためには、使用者の体温を上昇させる必要があり、この場合は、単にミストを浴室全体に拡散させるよりも、浴室内の温度をある程度高めた状態で身体に対して直接ミストを噴射する方が効率的である。また浴室内の温度をある程度高めることは、使用者が浴室内に入った際に肌寒さを感じることを防ぐためにも有効である。このため、ミストサウナ式浴室暖房装置には、浴室をミストにて加温する暖房効果と、ミストサウナ浴によるリラックス効果とが求められている。
【０００４】
ところで、ミストサウナ浴を行う際には、人体に噴射されるミストの粒径は細かい方が、使用者は心地よさを感じて使用感が良好なものであるが、浴室内の暖房の際には、細かいミストは浴室の空間内における熱交換により、床面や壁面等に到達した際にはかなりの熱量が失われてしまい、浴室内を十分に加温することは困難なものであり、このため、一種類のノズルのみで、暖房機能とリラックス効果とを十分に得ることは困難なものであった。
【０００５】
そこで、従来、特許文献１に開示されているように、浴室空間内に向けて上向きにミストを噴射するミストノズルと、これよりも粒径の大きいミストを床面に向けて下向きに噴射するミストノズルとを設けることにより、床面に向けて熱容量の大きい大径のミストを噴射するようにして、床面に対してより大きな熱量を与えるようにし、これにより暖房機能を向上させるようにしたものが提案されている。
【０００６】
【特許文献１】
特開平１０−１８５２２３号公報
【０００７】
【発明が解決しようとする課題】
しかし、上記のような従来技術では、粒径の大きなミストはその拡散される範囲が狭くなってしまうことから、床面に向けて噴射されるミストを広い範囲に拡散させることが困難であり、このため床面を広い範囲に亘って加温することは困難なものであった。
【０００８】
本発明は上記の点に鑑みてなされたものであり、浴室をミストにて加温する暖房効果と、ミストサウナ浴によるリラックス効果とを共に十分に得ることができ、特に浴室内の暖房時に際しては床面を広い範囲に亘って十分に加温することができるミストサウナ式浴室暖房装置を提供することを目的とするものである。
【０００９】
【課題を解決するための手段】
本発明に係るミストサウナ式浴室暖房装置は、熱源機から供給される温水をノズルからミスト状に噴射するミストサウナ式浴室暖房装置において、前記ノズルとして、粗ミストノズルと、この粗ミストノズルよりも小径のミストを噴射する細ミストノズルとを、前記粗ミストノズルから噴射された後のミストが通過する領域の少なくとも一部が、前記細ミストノズルから噴射された後のミストが通過する領域の少なくとも一部と重なるように配設することを特徴とするものである。これにより、細ミストノズルから噴射されるミストで身体を直接加温してミストサウナ浴を行うことができてリラックス効果を得ることができると共に、粗ミストノズルから噴射される熱容量の大きいミストによって浴室の特に床面を加温して浴室内の暖房効果を得ることができ、更に、細ミストノズルから噴射される拡散性の高いミストと、粗ミストノズルから噴射される熱容量の大きいミストとが混合されることにより、細ミストノズルから噴射されるミストを粗ミストノズルから噴射されるミストにて加熱した状態で広い範囲に拡散させることができて、床面を広い範囲で加温することができ、更に優れた暖房効果が得られるものである。
【００１０】
また上記粗ミストノズルを、上記細ミストノズルの上方に配設することが好ましい。この場合、粗ミストノズルから噴射されるミストは広く拡散することなく浴室内の下方に向かい、一方、細ミストノズルから噴射されるミストは浴室内で広く拡散されることとなって、粗ミストノズルから噴射された後のミストが通過する領域と、細ミストノズルから噴射された後のミストが通過する領域とが重なるようにすることができるものである。
【００１１】
また上記粗ミストノズルの上方に、上記細ミストノズルよりも小径のミストを噴射する微細ミストノズルを配設することも好ましく、この場合、ミストサウナ浴において、身体の末梢である足部を主として細ミストノズルから噴射されるミストにより加温すると共に、上半身を微細ミストノズルから噴射されるより小径なミストにより加温することができ、より効率的に使用者の体温を上昇させると共に使用者が更なる心地よさを感じるようにすることができるものである。
【００１２】
また、上記粗ミストノズルと上記細ミストノズルとから同時にミストを噴射する予備暖房モードと、前記粗ミストノズルからはミストを噴射せず前記細ミストノズルからミストを噴射するミストサウナ浴モードとに、運転モードを切り替え可能に形成することが好ましく、この場合、まず予備暖房モードでは粗ミストノズルと細ミストノズルとから同時にミストを噴射することで浴室内の暖房を効率的に行うことができ、ミストサウナ浴モードでは粗ミストノズルからのミストの噴射を停止することで、粒径の大きなミストが床面や壁面に到達する際の騒音の発生を防止して、騒音により使用者が感じるリラックス感が損なわれることを防止することができ、またミストサウナ浴時における温水の噴出量を低減して省エネルギーに貢献することができるものである。
【００１３】
また、上記ノズルが配設されたミスト発生器本体と、このミスト発生器本体を上下位置調整自在に支持する支持部とを具備することが好ましく、この場合、装置の設置高さや使用者の体格等に応じてミスト発生器本体の上下位置を調整することができるものである。
【００１４】
【発明の実施の形態】
以下、本発明の実施の形態を説明する。
【００１５】
本発明に係るミストサウナ式浴室暖房装置は、熱源機から供給される温水をノズル１からミスト状に噴射するものであり、このノズル１としては、細ミストノズル１ｂと、粗ミストノズル１ａとが設けられ、更に好ましくは微細ミストノズル１ｃをも設けるものである。
【００１６】
ここで、上記の細ミストノズル１ｂは、粗ミストノズルａよりも小径のミスト２を噴射するように形成され、また微細ミストノズル１ｃを設ける場合は、微細ミストノズル１ｃは細ミストノズル１ｂよりも小径のミスト２を噴射するように形成される。
【００１７】
各ノズル１から噴射されるミスト２の粒径は、上記のような関係にあれば特に制限はされないが、粗ミストノズル１ａとしては粒径３００μｍ以上のミスト２を噴射し、細ミストノズル１ｂとしては粒径１５０〜２００μｍのミスト２を噴射し、また微細ミストノズルとしては粒径１００〜１５０μｍのミスト２を噴射するものであることが好ましく、この場合、本発明の効果が特に良好に発揮される。
【００１８】
図１に示す例では、熱源機（図示せず）に接続されている温水配管５に各ノズル１が設けられ、熱源機から水圧をかけられた状態で温水配管５に供給された温水が各ノズル１から噴射されるようになっている。
【００１９】
温水配管５は、本管６と、本管６から分岐して形成された複数の分岐管７とから構成され、各分岐管７にそれぞれノズル１が設けられている。図示の例では、始端側は横方向に延出されて熱源機に連通されており、末端側は上方に延出されてその先端が閉塞されている。この本管６の上方延出部分から横方向に突出するように二つの分岐管７が、上下に間隔をあけて平行並列に設けられている。この二つの分岐管７のうち、上方に配置されているものを微細ミスト用配管７ｃといい、下方に配置されているものを細ミスト用配管７ｂという。また本管６の横方向の延出部分からは、他の分岐管７（粗ミスト用配管７ａという）が分岐して設けられている。この粗ミスト用配管７ａは上方へ延出された後、横方向に延出されて、細ミスト用配管７ｂと微細ミスト用配管７ｃとの間に配置されており、これにより上方から下方に向かって微細ミスト用配管７ｃ、粗ミスト用配管７ａ、細ミスト用配管７ｂが配置され、これらの分岐管７が平行並列に設けられている。
【００２０】
そして、微細ミスト用配管７ｃには微細ミストノズル１ｃが、粗ミスト用配管７ａには粗ミストノズル１ａが、細ミスト用配管７ｂには細ミストノズル１ｂがそれぞれ設けられている。各分岐管７にはその流路方向に沿って同一高さに二つのノズル１が設けられている。このとき各ノズル１は、各分岐管７の流路方向と直交する略水平方向に向けてミスト２を噴射するように形成されており、また全てのノズル１からのミスト２の噴射方向が略同一方向であるように形成されている。
【００２１】
このように各ノズル１を設けると、細ミストノズル１ｂの上方に粗ミストノズル１ａが設けられ、更にこの粗ミストノズル１ａの上方に微細ミストノズル１ｃが配設されるものであり、上側から順に微細ミストノズル１ｃ、粗ミストノズル１ａ、細ミストノズル１ｂが上下方向に一列に並んで設けられている。また図示の例では、この微細ミストノズル１ｃ、粗ミストノズル１ａ、細ミストノズル１ｂからなるノズル１の列が、二列設けられている。
【００２２】
また、温水配管５の本管６には、各分岐管７との分岐位置よりも始端側（熱源機側）に、開閉弁（温水開閉弁８）が設けられており、また粗ミスト用配管７ａにも、粗ミストノズル１ａの形成位置よりも始端側（熱源機側）に、開閉弁（粗ミスト開閉弁９）が設けられている。各開閉弁は、独立して開閉制御されるように形成されている。
【００２３】
尚、温水配管５の形状、温水配管５に対するノズル１の形成位置、ノズル１の個数等は、適宜変更することができ、上記のような例に限るものではない。また、微細ミストノズル１ｃ、粗ミストノズル１ａ、細ミストノズル１ｂの列を一列のみ設けてもよく、また微細ミストノズル１ｃ、粗ミストノズル１ａ、細ミストノズル１ｂの列を三列以上の複数列設けても良い。
【００２４】
図２，３は、本発明に係るミストサウナ式浴室暖房装置の全体構成の一例を示すものである。図示の例ではミストサウナ式浴室暖房装置は、ノズル１が配設されたミスト発生器本体３と、このミスト発生器本体３を上下位置調整自在に支持する支持部４とで構成されている。
【００２５】
ミスト発生器本体３は、上記の温水配管５の、少なくともノズル１が形成されている部位を筐体内に内装して構成されており、またこの筐体の前面において温水配管５に設けられた全てのノズル１の噴射口が外部に露出するように形成されている。温水配管５の始端側は、筐体の後背部から導出され、筐体の外部において熱源機に接続されるようになっている。
【００２６】
一方、支持部４は、左右一対の支持体４ａ，４ａにて構成されている。各支持体４ａ，４ａは、ミスト発生器本体３の筐体の左右各側面に沿って配置される縦枠部１０と、各縦枠部１０の下端から外側方に延設された横枠部１１とから構成されている。
【００２７】
各支持体４ａ，４ａの縦枠部１０には、縦枠部１０を左右方向に貫通する上下方向に長いスリット状のガイド孔１２が設けられている。そして、このガイド孔１２に外側方から、ガイド孔１２の幅寸法よりも大径の頭部を有するネジ等の固着具１３を挿通し、この固着具１３の脚部をミスト発生器本体３の筐体に螺入している。このとき固着具１３を緊締することにより固着具１３の頭部をガイド孔１２の外縁部で係止させることで、ミスト発生器本体３が支持部４に支持される。また、固着具１３を緩めた状態では、ミスト発生器本体３を支持部４に対して、固着具１３がガイド孔１２内の上端に当接する位置とガイド孔１２内の下端に当接する位置との間で上下方向にスライド移動することができる。そして、ミスト発生器本体３を所望の位置に配置した状態で固着具１３を緊締することにより、ミスト発生器本体３をその上下位置を所望の位置に調整して、支持部４に支持させることができるのである。
【００２８】
このように構成されるミストサウナ式浴室暖房装置は、支持部４を浴室内の所定位置に固設することにより、浴室内に配設することができる。
【００２９】
このようなミストサウナ式浴室暖房装置は、リモコン方式等の入力操作手段からの操作等に応じて所定の運転モードで作動するように形成することができる。
【００３０】
ミストサウナ式浴室暖房装置の運転モードとしては、例えば粗ミストノズル１ａと細ミストノズル１ｂとから同時にミスト２を噴射し、或いは更に微細ミストノズル１ｃからも同時にミスト２を噴射する予備暖房モードと、粗ミストノズル１ａからはミスト２を噴射せずに、細ミストノズル１ｂからミスト２を噴射し、或いは更に微細ミストノズル１ｃからも同時にミスト２を噴射するミストサウナ浴モードとを挙げることができる。ミストサウナ式浴室暖房装置は、運転モードを、この予備暖房モードとミストサウナ浴モードとに切り替え可能に形成することができる。この場合、例えばリモコン方式等の入力操作手段として、予備暖房モードの動作開始を設定する予備暖房スイッチ、ミストサウナ浴モードの動作開始を設定するミストサウナ浴スイッチ、装置の動作の停止を設定する停止スイッチ等を有するものを設け、またこの入力操作手段からの入力動作に応じて熱源機、温水開閉弁８、粗ミスト開閉弁９等の動作を制御する適宜の制御手段を設けることにより、運転モードを切り替え可能に形成することができる。
【００３１】
予備暖房モードにおける制御フローの一例を図４（ａ）に示す。図示の例では、熱源機が停止し、また温水開閉弁８と粗ミスト開閉弁９とが閉じた状態（初期状態）で、まず入力操作手段の予備暖房スイッチをＯＮすることにより予備暖房モードを選択して作動させる。このとき、熱源機が作動し、次に温水開閉弁８と粗ミスト開閉弁９とが開いて、ミストサウナ式浴室暖房装置が予備暖房モードで作動する。この状態では、温水が熱源機から温水配管５に水圧をかけられた状態で供給され、この温水は全ての分岐管７に供給されて、全てのノズル１からミスト２が噴射されることとなる。
【００３２】
そして、入力操作手段の停止スイッチをＯＮすることにより、ミストサウナ式浴室暖房装置の運転が停止する。このとき、温水開閉弁８と粗ミスト開閉弁９とが閉じ、次いで熱源機が停止することにより、全てのノズル１からのミスト２の噴射が停止される。
【００３３】
この予備暖房モードでは、粗ミストノズル１ａ及び細ミストノズル１ｂ（或いは更に微細ミストノズル１ｃ）から同時に噴射されるミスト２により、浴室内が加温される。このミスト２は拡散されながら噴射されるが、粗ミストノズル１ａから噴射されるミスト２（粗ミスト２ａ）の粒径よりも、細ミストノズル１ｂから噴射されるミスト２（細ミスト２ｂ）の方が小径であることから、細ミスト２ｂは粗ミスト２ａよりも広く拡散して浴室内の広い領域に分散し、これに対して粗ミスト２ａは細ミスト２ｂほどには拡散することなく、速やかに下方に向かうこととなる。このとき、細ミストノズル１ｂの上方に粗ミストノズル１ａが配設されているために、粗ミスト２ａが通過する領域の少なくとも一部と、細ミスト２ｂが通過する領域の少なくとも一部とが重なることとなり、この各ミスト２が通過する領域が重なった箇所において粗ミスト２ａと細ミスト２ｂとが混合される。
【００３４】
ここで、粗ミスト２ａと細ミスト２ｂとは浴室内の空間において熱交換により熱を失うが、粗ミスト２ａは細ミスト２ｂよりも大径であることから細ミスト２ｂよりも熱容量が大きく、このため粗ミスト２ａと細ミスト２ｂとが混合された時点では粗ミスト２ａの方がより大きな熱量を有しており、このため、粗ミスト２ａと細ミスト２ｂとが混合された際には細ミスト２ｂが粗ミスト２ａにより加温されることとなる。
【００３５】
従って、予備暖房モードでは、粗ミストノズル１ａから噴射される熱容量の大きい粗ミスト２ａによって浴室の特に床面を加温して浴室内の暖房効果を得ることができ、更に、細ミストノズル１ｂから噴射される拡散性の高い細ミスト２ｂと、粗ミストノズル１ａから噴射される熱容量の大きい粗ミスト２ａとが混合されることにより、細ミストノズル１ｂから噴射される細ミスト２ｂを粗ミストノズル１ａから噴射される粗ミスト２ａにて加熱した状態で広い範囲に拡散させることができて、浴室の床面を広い範囲で加温することができ、更に優れた暖房効果が得られるものである。
【００３６】
尚、本実施形態においては、拡散性がより低い粗ミスト２ａを噴射する粗ミストノズル１ａを、拡散性がより高い細ミスト２ｂを噴射する細ミストノズル１ｂの上方に配置したことによって、細ミスト２ｂと粗ミスト２ａが通過する領域が重なるようにしたものであるが、このように細ミスト２ｂと粗ミスト２ａが通過する領域を重ねることが可能であれば、粗ミストノズル１ａと細ミストノズル１ｂの位置関係は特に制限されるものではない。例えば粗ミストノズル１ａの配置位置が、細ミストノズル１ｂの下方であっても、粗ミストノズル１ａの噴射方向を斜め上方に向けるなどして細ミスト２ｂと粗ミスト２ａが通過する領域が重なるようにすれば良いものである。
【００３７】
また、ミストサウナ浴モードにおける制御フローの一例を図４（ｂ）に示す。図示の例では、熱源機が停止し、また温水開閉弁８と粗ミスト開閉弁９とが閉じた状態（初期状態）で、まず入力操作手段のミストサウナ浴スイッチをＯＮすることによりミストサウナ浴モードを選択して作動させる。このとき、熱源機が作動し、次に温水開閉弁８が開いて、ミストサウナ式浴室暖房装置が予備暖房モードで作動する。この状態では、温水が熱源機から温水配管５に水圧をかけられた状態で供給されるが、粗ミスト開閉弁９は閉じた状態のままであるので、温水は細ミスト用配管７ｂと微細ミスト用配管７ｃとに供給されるが、粗ミスト用配管７ａには供給されず、このため細ミストノズル１ｂと微細ミストノズル１ｃとからはミスト２が噴射されるが、粗ミストノズル１ａからはミスト２は噴射されないこととなる。
【００３８】
そして、入力操作手段の停止スイッチをＯＮすることにより、ミストサウナ式浴室暖房装置の運転が停止する。このとき、温水開閉弁８が閉じ、次いで熱源機が停止することにより、全てのノズル１からのミスト２の噴射が停止される。
【００３９】
このミストサウナ浴モードでは、細ミストノズル１ｂと微細ミストノズル１ｃとから噴射されるミスト２で身体を直接加温してミストサウナ浴を行うことができてリラックス効果を得ることができる。このとき、微細ミストノズル１ｃが細ミストノズル１ｂの上方に配置されていることから、微細ミストノズル１ｃから噴射されるより粒径の小さいミスト２（微細ミスト２ｃ）を、使用者の上半身に向けて噴射させると共に、細ミスト２ｂから噴射されるより粒径の大きい細ミスト２ｂを使用者の足部に向けて噴射させることができる。
【００４０】
ここで、微細ミスト２ｃは細ミスト２ｂに較べると粒径が小さいために、肌にミスト２が触れた際の感触がより良好なものであり、一方、細ミスト２ｂは微細ミスト２ｃに較べると粒径が大きいために、より大きな熱容量を有し、肌に到達した際の加温効果がより優れたものとなる。
【００４１】
従って、ミスト２の刺激に対する感度が強い上半身を主として粒径がより小さい微細ミスト２ｃにて加温することができて、ミストサウナ浴を行う使用者が更なる心地よさを感じるようにすることができる。一方、身体の末梢である足部は、主として細ミストノズル１ｂから噴射されるより粒径の大きい細ミスト２ｂにより加温することができて、足部を十分に加温することができるものであり、このとき、足部は上半身よりもミスト２からの刺激に対する感度が弱いために、細ミスト２ｂによる加温であってもミストサウナ浴の心地よさが損なわれることがないものである。
【００４２】
また、ミストサウナ式浴室暖房装置の使用時に、支持部４に対するミスト発生器本体３の上下位置を調整することで、装置の設置高さや使用者の体格の違い等に応じ、ミスト２の噴射位置を適宜所望の位置に調整することが可能となる。例えば使用者がミストサウナ浴を行う際には、使用者の体格等によって、使用者が快適と感じるミスト２の噴射位置が異なることとなるが、ミスト発生器本体３の上下位置を調整することでミスト２の噴射位置を各使用者が最も快適と感じる位置に移動させることができるものである。
【００４３】
【発明の効果】
上記のように本発明に係るミストサウナ式浴室暖房装置は、熱源機から供給される温水をノズルからミスト状に噴射するミストサウナ式浴室暖房装置において、前記ノズルとして、粗ミストノズルと、この粗ミストノズルよりも小径のミストを噴射する細ミストノズルとを、前記粗ミストノズルから噴射された後のミストが通過する領域の少なくとも一部が、前記細ミストノズルから噴射された後のミストが通過する領域の少なくとも一部と重なるように配設するため、細ミストノズルから噴射されるミストで身体を直接加温してミストサウナ浴を行うことができてリラックス効果を得ることができると共に、粗ミストノズルから噴射される熱容量の大きいミストによって浴室の特に床面を加温して浴室内の暖房効果を得ることができるものである。また、細ミストノズルから噴射されるより粒径の小さいミストは、粗ミストノズルから噴射されるより粒径の大きいミストよりも拡散性が高く、一方、粗ミストノズルから噴射されるミストは細ミストノズルから噴射されるミストよりも大きな熱容量を有しており、この細ミストノズルから噴射される拡散性の高いミストと、粗ミストノズルから噴射される熱容量の大きいミストとが混合されることにより、細ミストノズルから噴射されるミストを粗ミストノズルから噴射されるミストにて加熱した状態で広い範囲に拡散させることができて、床面を広い範囲で加温することができ、更に優れた暖房効果を得ることができるものである。
【００４４】
また上記粗ミストノズルを、上記細ミストノズルの上方に配設するため、粗ミストノズルから噴射されるミストは広く拡散することなく浴室内の下方に向かい、一方、細ミストノズルから噴射されるミストは浴室内で広く拡散されることとなって、粗ミストノズルから噴射された後のミストが通過する領域と、細ミストノズルから噴射された後のミストが通過する領域とが重なるようにすることができるものである。
【００４５】
また上記粗ミストノズルの上方に、上記細ミストノズルよりも小径のミストを噴射する微細ミストノズルを配設するため、ミストサウナ浴において、身体の末梢である足部を主として細ミストノズルから噴射されるミストにより加温すると共に、上半身を微細ミストノズルから噴射されるより小径なミストにより加温することができ、より効率的に使用者の体温を上昇させると共に使用者が更なる心地よさを感じるようにすることができるものである。
【００４６】
また、上記粗ミストノズルと上記細ミストノズルとから同時にミストを噴射する予備暖房モードと、前記粗ミストノズルからはミストを噴射せず前記細ミストノズルからミストを噴射するミストサウナ浴モードとに、運転モードを切り替え可能に形成するため、予備暖房モードでは粗ミストノズルと細ミストノズルとから同時にミストを噴射することで浴室内の暖房を効率的に行うことができ、またミストサウナ浴モードでは粗ミストノズルからのミストの噴射を停止することで、粒径の大きなミストが床面や壁面に到達する際の騒音の発生を防止して、騒音により使用者が感じるリラックス感が損なわれることを防止することができ、またミストサウナ浴時における温水の噴出量を低減して省エネルギーに貢献することができるものである。
【００４７】
また、上記ノズルが配設されたミスト発生器本体と、このミスト発生器本体を上下位置調整自在に支持する支持部とを具備するため、装置の設置高さや使用者の体格の違い等に応じ、使用者が最も快適と感じる位置にミスト発生器本体を移動させることができるものである。
【図面の簡単な説明】
【図１】本発明における温水配管のノズルの構成の一例の概略を示すものであり、（ａ）は正面図、（ｂ）は側面図である。
【図２】本発明の実施の形態の一例を示す、全体の斜視図である。
【図３】（ａ）は同上の正面図、（ｂ）は同上の側面図である。
【図４】（ａ）及び（ｂ）は本発明の動作の例を示すフロー図である。
【符号の説明】
１  ノズル
１ａ  粗ミストノズル
１ｂ  細ミストノズル
２  ミスト
３  ミスト発生器本体
４  支持部
【図１】
2004245554.tif 000003
【図２】
2004245554.tif 000004
【図３】
2004245554.tif 000005
【図４】
2004245554.tif 000006